(57)【要約】      （修正有）【課題】簡単に組み付け及び分解が可能な床張構造を提供する。【解決手段】パネル面の四辺をなす４つの端面が第１と第２の対をなして互いに連結可能な相補的な嵌合継手を形成し、これら対の一方は差し込み継手を、他方はフック付き相欠き継手を形成し、各フック付き相欠き継手で同種のパネル材同士を結合可能とし、フック付き相欠き継手には板厚方向鎖錠要素が組み込まれているフローリング用パネル材。フック付き相欠き継手（６ａ、７ａ）は隣接パネル材同士が板厚方向にロックされた連結状態にあるときに、一方のパネル材を他方に対してパネル面と直交する可動方向への相対回動によって鎖錠要素によるロック状態から解放可能とする継手形状を有する。相対回動を果たすために隣接パネル材の一方を互いのフック付き相欠き継手による接合端面部分に沿って延在する回動軸心周りにロック状態から解放位置へ向かって回動可能であり、解放位置では隣接パネル材のパネル面同士が互いに１８０°未満の角度を成す。【選択図】図１
0003136542.tif 000002
【実用新案登録請求の範囲】
【請求項１】
パネル面（Ｎ）とその周囲四辺をなす４つの端面（２ａ、２ｂ、２ｃ、２ｄ、４ｄ、５ａ、５ｃ）とを有する矩形面板状のパネル材（１、２、３、４、５、６、７）であって、前記４つの端面が互いに対向する２つの端面同士で第１と第２の対を形成し、複数枚の同種パネル材（１、２、３、４、５、６、７）同士を四辺の各端面（２ａ、２ｂ、２ｃ、２ｄ、４ｄ、５ａ、５ｃ）で互いに連結可能とするように第１の対と第２の対のそれぞれ互いに対向する端面同士が相補的な嵌合継手を備え、第１の対と第２の対のいずれか一方の対の嵌合継手が差し込み継手を形成すると共に他方の対の嵌合継手がフック付き相欠き継手（６ａ、７ａ）を形成し、この各フック付き相欠き継手（６ａ、７ａ）で同種のパネル材（１、２、３、４、５、６、７）同士をパネル面と直交する平面内における可動方向への相対運動によって結合可能とし、フック付き相欠き継手（６ａ、７ａ）の少なくとも一方には別部品の板厚方向鎖錠要素（８）が取り付けられ、該鎖錠要素が少なくとも部分的にフック付き相欠き継手（６ａ、７ａ）の接合境界面（Ｍ）を越えて突出しており、前記鎖錠要素（８）が隣接する２つのパネル材（１、２、３、４、５、６、７）のフック付き相欠き継手（６ａ、７ａ）間の結合操作により前記接合境界面（Ｍ）からバネ作用によって自動退避して継手の連結を可能とすると共に連結後はバネ作用によって再び接合境界面（Ｍ）を越えて自動的に突出してフック付き相欠き継手（６ａ、７ａ）間の板厚方向の相対変位を阻止可能としたものにおいて、
前記板厚方向鎖錠要素（８）がプラスチック材からなり、前記フック付き相欠き継手（６ａ、７ａ）が、隣接する２つのパネル材（１、２、３、４、５、６、７）同士が互いのフック付き相欠き継手（６ａ、７ａ）によって板厚方向の相対変位をロックされた連結状態にあるときに前記２つのパネル材（１、２、３、４、５、６、７）の一方を他方に対して前記可動方向への相対回動によって前記鎖錠要素によるロック状態から解放可能とする継手形状であり、前記相対回動を果たすために隣接する２つのパネル材（１、２、３、４、５、６、７）の少なくとも一方が互いのフック付き相欠き継手による接合端面部分に延在する回動軸心を中心に前記ロック状態から解放位置へ向かって回動可能であり、該解放位置においては隣接する２つのパネル材（１、２、３、４、５、６、７）のパネル面（Ｎ）同士が互いに１８０°未満の角度を成すことを特徴とするパネル材。
【請求項２】
第１の対の嵌合継手が一方の端面に形成されたアンダカット凹形継手要素と他方の端面に形成された相補的なさね形継手要素とからなり、隣接する同種のパネル材同士で前記アンダカット凹形継手要素と前記さね形継手要素が差し込みによって互いに結合可能であることを特徴とする請求項１に記載のパネル材。
【請求項３】
第１の対の嵌合継手が相補的なフック付き相欠き継手（６ａ、７ａ）を形成し、第１の対のフック付き相欠き継手（６ａ、７ａ）の少なくとも一方の継手要素に別部品の板厚方向鎖錠要素（８）が取り付けられ、該鎖錠要素（８）が弾性変形可能にパネル材（１、２、３、４、５、６、７）の端面から突出し、この弾性突出部を受け入れて係合するための係合凹部（７ｃ）が前記フック付き相欠き継手（６ａ、７ａ）の他方の継手要素に設けられていることを特徴とする請求項１に記載のパネル材。
【請求項４】
第１の対と第２の対の少なくとも一方の対が互いに相補的に対応する形状のフック付き相欠き継手（６ａ、７ａ）を形成し、各フック付き相欠き継手（６ａ、７ａ）にそれぞれ少なくとも１つのアンダカット面（６ｂ、６ｅ、７ｂ、７ｅ）が設けられ、これらフック付き相欠き継手（６ａ、７ａ）のアンダカット面（６ｂ、６ｅ、７ｂ、７ｅ）は、前記ロック状態にある隣接する２つのパネル材（１、２、３、４、５、６、７）において前記相対回動の回動方向に沿った分離曲面（Ｖ、Ｖ１、Ｖ２）上で互いに接していると共に、ロック状態と解放位置との間で該分離曲面（Ｖ、Ｖ１、Ｖ２）に沿って相対変位可能であることを特徴とする請求項１〜３のいずれか１項に記載のパネル材。
【請求項５】
隣接するパネル材（１、２、３、４、５、６、７）同士が互いのフック付き相欠き継手（６ａ、７ａ）による連結のために下地部材の上で位置決め可能であり、下地部材上に位置決めされて静止しているパネル材（１、２、３、４、５、６、７）に対してその隣接パネル材を互いのフック付き相欠き継手（６ａ、７ａ）同士で案内させながら相対回動により連結する際に前記静止しているほうのパネル材（１、２、３、４、５、６、７）の端面に形成されているフック付き相欠き継手（６ａ、７ａ）の継手要素に前記板厚方向鎖錠要素（８）が固定されていることを特徴とする請求項１〜４のいずれか１項に記載のパネル材。
【請求項６】
板厚方向鎖錠要素（８）がパネル面の辺の長手方向に延在する弾性突出部を備えていることを特徴とする請求項１〜５のいずれか１項に記載のパネル材。
【請求項７】
板厚方向鎖錠要素（８）の弾性突出部がパネル材（１、２、３、４、５、６、７）のパネル面と平行な方向に弾性変形可能であることを特徴とする請求項６に記載のパネル材。
【請求項８】
板厚方向鎖錠要素（８）の弾性突出部がパネル材（１、２、３、４、５、６、７）のパネル面と直交する方向及び該鎖錠要素（８）が配置されている端面と直交する方向のいずれにも弾性変形可能であることを特徴とする請求項６に記載のパネル材。
【請求項９】
高密度繊維板（ＨＤＦ）又は中密度繊維板（ＭＤＦ）からなる心材を備えたことを特徴とする請求項１〜８のいずれか１項に記載のパネル材。
【請求項１０】
前記差し込み継手とフック付き相欠き継手を構成する各継手要素がパネル材（１、２、３、４、５、６、７）の心材と一体に構成されていることを特徴とする請求項９に記載のパネル材。
【請求項１１】
請求項１〜１０のいずれか１項に記載のパネル材（１、２、３、４、５、６、７）の複数枚をそれらの四辺の各端面の嵌合継手により相互に連結してなることを特徴とする床張構造。
【請求項１２】
個々のパネル材（１、２、３、４、５、６、７）がそれらの四辺の各端面の嵌合継手により相対的な回動操作で連結を解除できるように相互連結され、連結を解除されたパネル材（１、２、３、４、５、６、７）が再び連結状態へ復帰可能であることを特徴とする請求項１１に記載の床張構造。
【考案の詳細な説明】
【技術分野】
【０００１】
本考案は、パネル面とその周囲四辺をなす４つの端面とを有する矩形面板状のパネル材に関し、特に４つの端面が互いに対向する２つの端面同士で第１と第２の対を形成し、複数枚の同種パネル材同士を四辺の各端面で互いに連結可能とするように第１の対と第２の対のそれぞれ互いに対向する端面同士が相補的な嵌合継手を備え、第１の対と第２の対のいずれか一方の対の嵌合継手が差し込み継手を形成すると共に他方の対の嵌合継手がフック付き相欠き継手を形成し、この各フック付き相欠き継手で同種のパネル材同士をパネル面と直交する平面内における可動方向への相対運動によって結合可能とし、フック付き相欠き継手の少なくとも一方には別部品の板厚方向鎖錠要素が取り付けられ、該鎖錠要素が少なくとも部分的にフック付き相欠き継手の接合境界面を越えて突出しており、前記鎖錠要素が隣接する２つのパネル材のフック付き相欠き継手間の結合操作により前記接合境界面からバネ作用によって自動退避して継手の連結を可能とすると共に連結後はバネ作用によって再び接合境界面を越えて自動的に突出してフック付き相欠き継手間の板厚方向の相対変位を阻止可能としたパネル材に関するものである。
【０００２】
本考案はさらに、係るパネル材を複数枚用いて組み立てられる床張構造にも関する。
【背景技術】
【０００３】
冒頭に述べた形式のパネル材は特許文献１〜３び２により公知である。これらの公知文献によって当業者に認識されるパネル材は、多数の列に敷設された際に個々の列内におけるパネル材の小口端面間に目地を形成して相互連結されるものである。通常、フローリング張り工事においては、これらのパネル材を敷設する際に或るパネル列内の小口間の目地が隣接パネル列の小口間目地と揃わないように交互にずれたパネル配置で張り上げることが好ましいとされている。この場合、新たな列のパネル張りでは先行列のパネル材に対して新たなパネル材をそば（傍）側の端面同士の差し込み継ぎによって連結する。ここで、差し込み継ぎでは、新たなパネル材を先行パネル列のパネル面に対して相対的に斜めに起こした状態で新たなパネル材のそば側端面のさね（実）形継手要素を先行列のパネル材のそば側端面の溝形継手要素に当て、次いで新たなパネル材を水平状態へ向けて倒しながら先行列のパネル材との実矧継手の差し込み嵌合を果たす接合操作が行われ、従って新たなパネル材の固定にはパネル面と直交する平面内における可動方向への角運動操作が伴い、この角運動操作によって新たなパネル材が先行列のパネル材に対して面一に接合されることになる。
【０００４】
新たなパネル材を敷設すべき列内に既に先行して敷設されたパネル材が存在する場合、新たなパネル材は先行列のパネル材のそば側端面への前記差し込み継ぎ操作の最中に同時に同じ列の先行敷設パネル材の小口端面とも結合される。この目的で同列内のパネル材同士の小口間の連結のために各パネル材の一対の小口端面も相補的な嵌合継手形状に加工されており、これによって一対の小口端面に相補的なフック付き相欠き継手が構成されている。このフック付き相欠き継手の各継手要素は、既に敷設されたパネル材に対して隣接パネル材をパネル面と直交する平面内における可動方向へ相対運動させて継手要素同士を重ねることにより互いのフック同士の係合で結合可能である。前記平面内における可動方向への相対運動はそば側端面に沿った軸心周りの回動であり、これはカッター鋏運動或いは折畳み運動と呼ばれる。
【０００５】
また、これらの特許文献で公知のパネル材には、特に小口側の端面の継手を構成する少なくとも一方のフック付き相欠き継手要素に自動的に機能するバネ弾性形式の板厚方向鎖錠要素が取り付けられ、隣接パネル材同士の不陸の発生を防止するようにしているが、この鎖錠要素は、パネル材を敷設した後には鎖錠位置から全く動かすことができないか或いは動かすには特殊工具を必要とするので、既に敷設された床張りパネルを、例えば床下配管などの保守点検など、何らかの事情で部分的に分解しようとする場合、パネル材を傷つけることなく再利用可能に分離することが困難であるという問題がある。即ち、特許文献１によれば、個々の列の敷設済みパネル材のそば側端面を露呈させたうえで小口端面の側部から鎖錠要素を水平に引き出し、フック付き相欠き継手で互いに係合しているパネル材の一方を小口目地でパネル面と直角な方向へ離反運動させることではじめて分離が果たされる。また、特許文献２では、パネル面と直角な方向へのパネル材の離反運動を可能とするには鎖錠要素をその鎖錠位置から引き出すための特殊工具を利用することが教示されている。この特殊工具は、鎖錠要素が収まっている小口端面間の隙間に予め露呈されたそば側の端面から押し込まれる一種の針状の工具である。上面と下面が異なる形状の細い針状の特殊工具を扱うには、鎖錠要素の収まっている隙間の内部で工具の先端を適正に回動させるという熟練操作が不可欠である。残されたパネル材の分離法は、互いにフック付き相欠き継手で連結されたパネル材を、パネル面、即ち継手加工された端面の長手方向と平行に相対移動させることである。しかしながら、この方法は、一般に既設の隣接パネル材とのフック付き相欠き継手の継手要素間に高い静摩擦が優勢に存在しているので、現実には余程強い力を加えないと相対移動を果たすことができず、実際には不適である。
【０００６】
【特許文献１】国際公開第０３／０１６６５４号パンフレット
【特許文献２】国際公開第２００６／０４３８９３号パンフレット
【特許文献３】国際公開第２００６／１０４４３６号パンフレット
【考案の開示】
【考案が解決しようとする課題】
【０００７】
本考案で解決しようとする課題は、冒頭に述べた形式のパネル材における上述の従来技術の問題点を解消して簡単に組み付け及び分解が可能なパネル材を提供することであり、更には係るパネル材を用いて分解作業を簡素化可能に組み立てられた床張構造を提供することである。
【課題を解決するための手段】
【０００８】
本考案に係るパネル材は、係る課題を解決するため、冒頭に述べた形式のパネル材において、前記板厚方向鎖錠要素をプラスチック材で構成し、前記フック付き相欠き継手を、隣接する２つのパネル材同士が互いのフック付き相欠き継手によって板厚方向の相対変位をロックされた連結状態にあるときに前記２つのパネル材の一方を他方に対して前記可動方向への相対回動によって前記鎖錠要素によるロック状態から解放可能とする継手形状とし、前記相対回動を果たすために隣接する２つのパネル材の少なくとも一方を互いのフック付き相欠き継手による接合端面部分に延在する回動軸心を中心に前記ロック状態から解放位置へ向かって回動可能とし、この解放位置においては隣接する２つのパネル材のパネル面同士が互いに１８０°未満の角度を成す点に特徴を有するものである。本考案において、相欠き継手とは一般的な床板のはぎ（矧）目として相じゃくり、相じゃくりざね、本ざね等、種々のしゃくり継手及び実矧継手を包含するものであり、これらの継手に互いに係合し合うフックが形成されているものをフック付き相欠き継手と呼ぶ。また本考案において差し込み継手とは、一般的には実矧継手を意味するが、フックを構成する凹凸形状の有無を問うものではない。
【０００９】
本考案に係るパネルでは、床張構造の分解を目的に板厚方向鎖錠要素の鎖錠を解除するのに継手連結部から該鎖錠要素を取り去ることは勿論、そのために特殊工具を用いることも不要である。本考案によれば、任意の１つのパネル列のパネル材はそのパネル列が隣接列パネル列から連結を解除されていさえすれば分離できるように、フック付き相欠き継手が形成されている。即ち、或る１つのパネル列のパネル材をその列内の隣接パネル材から分離する場合、このパネル列を先ず隣接パネル列との結合から解除する。隣接パネル列との結合を解除されたパネル列のパネル材は、その列の末端側に結合されているパネル材から順番に、その手前の先行パネル材を上から押さえて不動に保ちながら、分離すべきパネル材の末端側の端部をパネル面と直角な方向へ持ち上げて枢動させることにより分離することができ、これを列の先頭へ向けて順位繰り返すことにより一列のパネル材を分解することができる。
【００１０】
床張り工事におけるパネル材の敷設に際しては、新たな列のパネル材を先行列のパネル材に結合するカッター鋏運動と同時に同じ新たな列の既設パネル材との結合が行われるので、これらの結合操作は相互に影響を及ぼすことがある。例えば、第１の対を形成する端面がそば側端面、第２の対を形成する端面が小口側端面であり、敷設パネル列間の目地がそば側端面間の目地で形成される場合を想定すると、新たなパネル材のそば側端面と先行列のパネル材のそば側端面との実矧継手をカッター鋏運動（折畳み運動）で差し込み継ぎする操作によって同時に新たなパネル材と同じ列の先行パネル材との小口端面間の相互位置合わせが行われると有利である。その場合、小口端面間の相互位置合わせには、折畳み運動中に第２の対の小口側端面同士のフック付き相欠き継手を所望の適正嵌合位置に揃えるために、既に先行列のパネル材のそば側端面との間で差し込まれつつある実矧継手の内部でそば側端面の長手方向に滑り運動を生じさせる必要がある。この目的で、本考案によるパネル材のフック付き相欠き継手の継手要素は、その凹凸嵌合の形状によって折畳み運動中に係る滑り運動を自動的に引き起こすようなガイド機能を持たせることにより敷設時の折畳み運動の付与で相互位置合わせを同時に果たすことができるように構成しておくことが好ましい。これにより、同じ列の小口端面間の継手の相互位置合わせは新たなパネル材の折畳み運動操作によって自動的に果たすことができる。
【００１１】
本考案に係るパネル材は、種々の木材種の厚板、寄せ木、又は積層板で構成することができ、従って中実木材で構成するか、或いは心材を有するかのいずれも選択可能である。心材として用いることのできる木材は、例えば棒状木片からなるランバーコア合板、木質層からなる多重合板、或いはその他の合板等、好ましくは天然木材の心材である。勿論、繊維質材料も心材として利用することができる。その代表的な例としては、原料木材を先ず繊維片に細分し、次いで結合剤と混合して木質繊維強化合板へと成形加工した中密度繊維板（ＭＤＦ）、高密度繊維板（ＨＤＦ）、或いは配向性ストランドボード（ＯＳＢ）等を挙げることができる。これら以外の材料も本考案に係るパネル材の心材に適しており、例えば中実プラスチックや多孔質プラスチックも防振又は遮音性心材として好適に採用することができる。
【００１２】
心材を備えたパネル材は積層パネルであり、その表面層は装飾性のパネル面を与えるのが一般的である。
【００１３】
本考案は、中実木材等の無垢の天然木材からなるパネル材、又はこのような天然中実木材からなる心材を備えたパネル材にも特に有利に適用可能である。パネル材の端面に加工される嵌合継手、特にフック付き相欠き継手が天然中実木材によって形成されることになるので、そのような継手は嵌合状態において継手接合面の表面特性により相互に高い密着性を示し、継手要素同士が離反移動し難いという固有の性質を享受できる。このような天然中実木材で形成された嵌合継手を端面に有するパネル材では、先に述べた公知技術における最後のパネル材分離法は採用に適さないが、本考案に係るパネル材におけるフック付き相欠き継手は、既設パネルの分解に際して既に連結ロック状態にある２つのパネル材の一方を他方に対してパネル面と直交する平面内の回動方向へ相対回動させたときに連結ロック状態が開放される継手形状であるので、嵌合状態で継手が高い密着性を示す中実木材製パネル材や中実木材製心材を備えたパネル材であっても、本考案を適用することによって既設パネルの分解を簡単に行うことが可能となる。
【００１４】
本考案の好ましい一実施形態によれば、第１の対の嵌合継手は一方の端面に形成されたアンダカット凹形継手要素と他方の端面に形成された相補的なさね形継手要素とによって構成され、隣接する同種のパネル材同士で前記アンダカット凹形継手要素と前記さね形継手要素が差し込みによって互いに結合可能とされている。先に述べた公知技術に限らず、この種のアンダカット凹形継手要素とさね形継手要素による差し込み継手は所謂実矧継手としてフローリングパネルに広く用いられている信頼性の高い継手構造であり、それ故に本考案に係るパネル材にも好適に採用することができる。従って本考案においては、既に信頼性が確立された公知の継手構造を第１の対の端面における嵌合継手に採用し、一方、第２の対の端面における嵌合継手にはフック付き相欠き継手を採用することが好ましい。
【００１５】
尚、完全を期す意味で付言すれば、第２の対の端面におけるフック付き相欠き継手によるパネル材相互の連結は、これらのパネル材が同じ共通の下地面上に置かれた状態にあっても相対的なスライド移動操作によって可能である。この場合、下地面上にある一方のパネル材のフック付き相欠き継手と連結すべき他方のパネル材のフック付き相欠き継手の各接合境界面が一直線上に揃うように両パネル材を下地面上で千鳥格子状にずらして並べ、両パネル材のフック付き相欠き継手の互いに相補的な継手要素が互いの端部で前後に対面するように配置する。次いで一方のパネル材に対して他方のパネル材を下地面上で互いの接合境界面の長手方向に相対スライド移動させることにより両パネル材のフック付き相欠き継手を端部から嵌合させることができる。この敷設方法については、例えば独国特許出願公開第１０２００６０１１８８７号明細書の図４４を参考例に挙げることができる。そこに示されている例では、一方のパネル材３０ｂの端面に形成されている継手要素が矢印３４で示されるように一直線に並んで他方のパネル材３０ａの端面の継手要素３２と継手組みされている。この場合、状況によっては一直線に揃った接合境界面の長手方向への相対スライド移動の開始時に接合境界面に突出している弾性の板厚方向鎖錠要素３３ａを若干押し込んで突出による干渉を生じないようにしておく必要があることは勿論である。
【００１６】
本考案の更に別の好適な実施形態によれば、第１の対と第２の対の少なくとも一方の対が互いに相補的に対応する形状のフック付き相欠き継手を形成し、各フック付き相欠き継手にそれぞれ少なくとも１つのアンダカット面が設けられ、これらフック付き相欠き継手のアンダカット面は、連結ロック状態にある隣接する２つのパネル材において前記相対回動の回動方向に沿った分離曲面上で互いに接していると共に、ロック状態と解放位置との間で該分離曲面に沿って相対変位可能である。
【００１７】
このような分離局面上にアンダカット面を配置しておくことにより、フック付き相欠き継手による結合を開放する際のパネル材の相対回動に際してパネル材の変形による負荷は全く現れないか、或いは現れても極く僅であるので、既設パネルの分解作業は軽作業となり、パネル材を簡単に取り外すことが可能となる。
【００１８】
本考案の更に別の好適な実施形態によれば、フローリング工事又はそのパネル分解工事においてパネル材の取扱性を改善するために隣接するパネル材同士は互いのフック付き相欠き継手による連結のために下地部材の上で位置決め可能であり、この場合、下地部材上に位置決めされて静止しているパネル材に対してその隣接パネル材を互いのフック付き相欠き継手同士で案内させながら相対回動により連結する際に前記静止しているほうのパネル材の端面に形成されているフック付き相欠き継手の継手要素に前記板厚方向鎖錠要素が固定されていることが好ましい。
【００１９】
板厚方向鎖錠要素がパネル材を敷設する際に既に下地上に静止しているパネル材に配置されていると、フック付き相欠き継手の継手要素は施工作業者が容易に確認できる態様でロック状態に鎖錠できることが判明している。更に、それによる利点として、板厚方向鎖錠要素は静止側パネル材に配置されている限り施工作業者にとって一層良好に目視可能である。その結果、施工作業者によるフック付き相欠き継手の継手要素間の接合操作に伴って、板厚方向鎖錠要素の作動状況も施工作業者に確実に把握認識される利点がある。
【００２０】
パネル材の取扱性を更に良好にする目的で板厚方向鎖錠要素はそれ自体がバネ弾性変形可能な材質とすることが好ましい。
【００２１】
本考案の更に別の好適な実施形態によるパネル材は、高密度繊維板（ＨＤＦ）又は中密度繊維板（ＭＤＦ）からなる心材を備えている。これらの心材は、一般には破砕された木材チップを結合剤と混合して圧縮成形することにより製造される。このような心材は極めて良好に切削加工することができるので、本考案に従ってパネル材端面に嵌合継手加工を施すのに適合し、更には別部品の板厚方向鎖錠要素を取り付けるのに充分な機械的強度を有する。但し、既に述べたように、本考案によるパネル材はこれら繊維板製の心材を備えたものに限定されるものではない。
【００２２】
最も単純な構造では、本考案に係るパネル材の嵌合継手は心材と一体に構成される。これは、例えばパネル材端面の切削加工によって果たすことができる。
【００２３】
本考案はまた、以上に述べた種々の形態による互換性を有する複数枚のパネル材をそれらの四辺の各端面における嵌合継手により相互に連結してなる床張構造も提供する。
【００２４】
本考案の好適な実施形態に係る床張構造では、床張構造の分解を簡単にする目的で個々のパネル材がそれらの四辺の各端面における嵌合継手により殆ど摩耗を伴うことなく相対的な回動操作で連結を解除できるように相互連結され、連結を解除されたパネル材が再び連結状態へ復帰可能である。この床張構造に用いられるパネル材は上述の各実施形態によるパネル材であり、このパネル材は僅かな摩耗で回動操作により連結状態から解放可能である。
【００２５】
尚、特許文献２や３で公知の自動的に作用するバネ弾性形式の板厚方向鎖錠要素は、専らパネル面に直交する板厚方向におけるパネル材相互の離反運動を防止する機能に関して基本的に本考案における板厚方向鎖錠要素として利用可能である。
【考案を実施するための最良の形態】
【００２６】
本考案の幾つかの好適な実施形態を添付図面と共に詳述すれば以下の通りである。
【００２７】
図１は、本考案に係るパネル材で形成される床張構造の２列のパネル列Ｒ１、Ｒ２について新たなパネル材が連結される様子を示している。既に敷設された１列目のパネル列Ｒ１はパネル材１、２、３を含み、この１列目のパネル列Ｒ１に隣接して敷設された２列目のパネル列Ｒ２のパネル材４に続いて、２列目の次のパネル材５が今や連結されようとしており、これらのパネル材は全て同一仕様のものである。
【００２８】
本考案に係るパネル材の形態をパネル材２で説明すると、パネル材２は矩形面板状のものであって、その周囲四辺をなす４つの端面２ａ、２ｂ、２ｃ、２ｄと、フローリング表面として利用されるパネル面Ｎとを有している。図示の実施形態によるパネル材２においては、これら４つの端面は互いに対向する第１の対を形成するそば側端面２ａ、２ｂと、これらそば側端面と直角な方向に延在して互いに対向する第２の対を形成する小口側端面２ｃ、２ｄとからなり、長方形のパネル面に対してそば側端面２ａと２ｂが互いに対向する平行な一対の長辺を、小口側端面２ｃと２ｄが互いに対向する平行な一対の短辺を形成している。第１の対を形成するそば側端面２ａ、２ｂは互いに相補的な嵌合継手に加工され、第２の対を形成する小口側端面２ｃ、２ｄも互いに相補的な嵌合継手に加工され、それによって複数枚の同種パネル材同士を四辺の各端面で互いに連結可能としてある。図示の実施形態では、長辺を形成している第１の対のそば側端面２ａ、２ｂの嵌合継手が図２に示すような差し込み継手の相補的な継手要素を形成し、短辺を形成している第２の対の小口側端面２ｃ、２ｄの嵌合継手が図３又は図４に示すようなフック付き相欠き継手の相補的な継手要素を形成している。その他のパネル材１、３〜５についても各端面の継手構造はパネル材２と全く同じである。従って、図１に示したようなパネル配列で敷設した場合、例えばパネル列Ｒ１のパネル材２のそば側端面２ｂは隣接するパネル列Ｒ２のパネル材４及び５の対応するそば側端面との間で相補的な継手形状の差し込み継手により連結され、同じパネル列Ｒ１内では小口側端面２ｃ、２ｄが同一パネル列内の隣接パネル材１及び３の対応する小口側端面との間で相補的なフック付き相欠き継手要素により連結される。このようにして、図１に示すように、敷設の済んだパネル列に次の新たな列を形成するパネル材を継ぎ足して行き、この個々のパネル材の継ぎ足しによる新たなパネル列の形成を歩進的に進めることによりフローリング張りを行うことができる。
【００２９】
図１において、パネル材５は先行パネル列Ｒ１のパネル材２、３に正に差し込み継ぎによって連結されようとしている新たなパネル材である。この差し込み継ぎの開始においては、先行パネル列Ｒ１のパネル材２、３のパネル面に対して新たなパネル５材のパネル面が斜めに向くように傾斜配置される。新たなパネル５のそば側端面５ａは先行列Ｒ１のパネル材２及び３のそば側端面２ｂ及び３ｂに目地をずらして差し込まれる。この差し込み状態にあるそば側端面同士のヒンジ軸心を回動軸として新たなパネル材５の傾斜を水平状態へ向けて倒して行くカッター鋏動作（折り畳み動作）を行うと、そのそば側端面５ａでは先行列Ｒ１のパネル材２と３のそば側端面２ｂ及び３ｂとの間の差し込み継手の嵌合が進み、新たなパネル材のパネル面Ｎが先行列のパネル面と面一に揃う状態になると、そば側端面間の差し込み継手による連結が完成し、新たなパネル材５は既設パネル材２及び３に対してパネル面と直交する方向への相対離反運動について拘束されることになる。
【００３０】
このような新たなパネル材５のカッター鋏運動によるそば形端面間の継手の嵌合操作中に、新たなパネル５の小口側端面５ｃと既に同じパネル列Ｒ２に敷設されている先行パネル材４の小口側端面４ｄとのフック付き相欠き継手による連結の果たされる。即ち、カッター鋏動作により新たなパネル材５のそば側端面５ａにおいて先行列Ｒ１のパネル材２と３のそば側端面２ｂ及び３ｂとの間の差し込み継手の嵌合が進行するに伴って、新たなパネル５の小口側端面５ｃと先行パネル材４の小口側端面４ｄとの間で丁度カッターの鋏が閉じてゆくような運動が起き、この運動によって新たなパネル材５の小口側端面５ｃと先行パネル材４の小口側端面４ｄとの間のフック付き相欠き継手が上下に嵌合し合い、この嵌合は回動軸心に近い側から遠い側へと進行して、新たなパネル材５のパネル面Ｎが先行パネル材４のパネル面と面一に揃う状態になると、両者の小口側端面５ｃ及び４ｄの長手方向に亘る全長でフック付き相欠き継手による連結が完成する。
【００３１】
図２には、ａ〜ｅの５種類について本考案の一実施形態によるパネル材の第１の対の端面における差し込み継手を構成する嵌合継手の継手形状が要部断面図の様式で示されている。これらの差し込み継手形状自体は従来から公知のものである。
【００３２】
通常、そば側端面の長手方向に沿って凹凸嵌合継手加工を施したパネル材によるフローリング張りの施工においては、先行して敷設されたパネル材のそば側端面に設けられているアンダカット凹形継手要素Ａに、後続して敷設される新たなパネル材のそば側端面に設けられている相補的なさね（実）形継手要素Ｂが差し込まれて継がれてゆく。この差し込み継ぎに際しては、一般に新たなパネル材を図１に示したように先行列のパネル材に対してパネル面Ｎが傾斜した状態で配置し、その傾斜を徐々に水平方向へ倒しながらさね形継手要素Ｂを先行列のパネル材のアンダカット凹形継手要素に差し込み継ぎする。図２に例示した差し込み継手形状においては、アンダカット凹形継手要素Ａの下部において凹部上面に少なくとも１つの付加的なアンダカット面Ａ１が設けられ、これに対応してさね形継手要素Ｂの凸部下面にも少なくとも１つの相補的なアンダカット面Ｂ１が設けられ、これら付加的なアンダカット面同士の係合により、パネル材同士が適正な嵌合連結状態にあるときにパネル材がそば側端面と直交する方向へパネル面と平行に相互離反することを防止している。勿論、凹形継手要素Ａとさね形継手要素Ｂとの嵌合はパネル同士のパネル面と直交する方向への離反運動に対抗するものであることは述べるまでもない。
【００３３】
図３と図４に本考案によるパネル材の第２の対の端面における嵌合継手としてのフック付き相欠き継手に関するそれぞれ別の実施形態を示す。この場合も、パネル材は中実木材又は繊維板からなる心材を備えた合板、或いは心材の無い無垢の中実木材パネルのいずれでも良い。フック付き相欠き継手の相補的な継手要素は、パネル材の小口側端面に例えばフライス加工によって形成される。
【００３４】
図３及び図４においては、同じパネル列内で互いに連結される先行パネル材６と後続パネル材７の小口側端面間でフック付き相欠き継手を形成する互いに相補的な継手要素６ａと７ａが上記小口側端面の長手方向に直交する断面における要部断面図の様式で示されている。パネル材６の小口側端面に設けられた継手要素６ａと、パネル材７の対向する小口側端面に設けられた相補形状の継手要素７ａは、図１に示した各パネル材１〜５のそれぞれ対向する小口側端面（即ち、パネル材２の端面２ｃと２ｄ、或いはパネル材４の小口側端面４ｄとパネル材５の小口側端面５ｃ）に設けられ、先行パネル材６に対して前述のカッター鋏運動（折畳み運動）によって新たに接合すべき後続パネル材７を重ねることにより、これらパネル材の対向する小口側端面間で互いに嵌合される。
【００３５】
尚、図３及び図４に示すフック付き相欠き継手は、以下の説明から明らかなように、本考案のパネル材及びそれを使用した床張構造に採用可能な唯一の継手構造ではなく、前述のカッター鋏運動によって嵌合可能な種々の変形構造も採用可能である。
【００３６】
図３及び図４に示す各実施形態に共通する好適な継手嵌合操作では、小口側端面間の嵌合部で操作時に波線で示すように上側に位置するほうの新たなパネル材７の継手要素７ａが、先に図１を参照して述べたように傾斜配置された新たなパネル材７をそのそば側端面に沿ったヒンジ軸心周りに水平状態へ向けて倒して行くカッター鋏動作（折り畳み動作）の進行に伴って、図中実線で示す下側に位置するほうの既設先行パネル材６の継手要素６ａに重なって互いに嵌合され、フック付き相欠き継手を形成する。以下の説明では、パネルＮに隣接するほうの継手要素７ａを上側継手要素と称し、これと相補的な継手要素６ａを下側継手要素と称する。
【００３７】
図３及び図４の各（ａ）図では、カッター鋏動作で動かされる前の未だ傾斜配置状態にある新たなパネル材７及びその上側継手要素７ａは破線で示され、これに対してカッター鋏動作が行われた後のパネル材７とその上側継手要素７ａは、それが係合ロックした既設先行パネル材６の下側継手要素６ａと共に実線で示されている。継手嵌合部の内部で下側継手要素６ａに装着されている板厚方向鎖錠要素８は、フック付き相欠き継手の係合ロック位置において自動的に係合境界面Ｍを越えて突出して上側継手要素７ａの端面に係止され、パネル面と直交する方向への両パネル材６、７間の離反運動を阻止している。
【００３８】
このフック付き相欠き継手によって小口側端面間で互いに連結された両パネル材６と７が該端面と直交する方向でパネル面と平行に離反運動しないように、パネル材６の下側継手要素６ａにはアンダカット面６ｂや６ｅが設けられ、フック付き相欠き継手が係合ロック位置にあるときにはこのアンダカット面６ｂや６ｅがパネル７の上側継手要素７ａに対応して設けられている相補形状のアンダカット面７ｂや７ｅと係合している。
【００３９】
さて、図３及び図４において、それぞれの（ａ）図に示す連結状態からパネル材７を分離するには、該パネル材７の尾端側、即ち分離すべき上側継手要素７ａが設けられているほうの小口側端面と対向する側の小口側端面（図示には現れていないが、そこには下側継手要素が設けられている）側の端部を、分離すべきフック付き相欠き継手による連結部の接合端面部分の長手方向に延在する回動軸心を中心にして、該小口側端面及びパネル面Ｎと直交する平面（可動平面）内の可動方向へ上向きに回動させることにより、それぞれの（ｂ）図に示すように分離すべき接合目地上に中心軸を位置させてパネル材７をパネル面が傾斜した解放位置に起こす操作を行う。この回動操作は連結状態にある下側継手要素６ａと上側継手要素７ａとの接合目地上に平行に延在する回動軸心を中心にして手作業により生起され、この場合、下側継手要素６ａのアンダカット面６ｂや６ｅと下側継手要素７ａのアンダカット面７ｂや７ｅは該回動軸心を共通軸心とするそれぞれ同心円弧面上にあり、これらの円弧面を分離曲面Ｖ１、Ｖ２で示す。分離曲面は、図示の実施形態においてはいずれも理想的な円弧凹面であるが、継手嵌合状態における両パネル材の離反運動の阻止機能と解放位置への回動操作を極端に阻害しない限り、円弧凹面以外の面形状とすことも可能である。この解放位置においては、両パネル材６と７のパネル面Ｎ同士は互いに１８０°未満の角度を成している。
【００４０】
この場合、パネル材７は、その尾端側を上向きに起こすように回動させた際に、両パネル材６と７の連結端面と直交する方向へのパネル面と平行な離反運動を阻止していた両継手要素７ａ、６ａのアンダカット面６ｂと７ｂ或いは６ｅと７ｅ間の係合が両アンダカット面同士の相対的な摺動によって解除されるまで傾斜させればよく、これによってパネル材７を簡単に取り去ることができるようになる。
【００４１】
図３及び図３に示す実施形態においては、いずれも板厚方向鎖錠要素８はバネ弾性係止板８ａを備えており、この係止板は継手連結端面及びパネル面の双方と直交する平面内、即ち図示の横断面内で弾性変形運動可能である。板厚方向鎖錠要素８は係止板８ａの基部に嵌合部８ｂを一体に備え、この嵌合部は継手要素６ａの小口側端面に設けられた凹部６ｃに嵌着保持されている。この場合の凹部６ｃは、図示横断面内で狭く深い部分と広く浅い部分との２段式凹部である。凹部６ｃの開口縁では係止板８ａが自由状態で継手要素６ａの端面から接合境界面Ｍを越えて突出している。図３及び図４において、各（ａ）図に破線で示した状態の上側継手要素７ａの端面は、各（ｂ）図に示す係合ロック位置に達する過程でこの接合境界面Ｍを通過する。鎖錠要素８の嵌合部８ｂは、鎖錠要素８が勝手に脱落しないようにパネル材６の下側継手要素６ａの端面よりも内奥部に固定されている。
【００４２】
上側継手要素７ａは、カッター鋏運動の操作力を受けて図中下方へ向かって押し下げられ、その端面が接合境界面Ｍを通過する間に鎖錠要素８の係止板８ａがカム動作によって撓められて凹部６ｃ内へ自動的に退避する。鎖錠要素８の係止板８ａは、それを撓めていた力が無くなると蓄積していた弾発エネルギーによって再び自動的に接合境界面Ｍを越えて突出し、接合境界面Ｍを遮断する。
【００４３】
鎖錠要素８が接合境界面Ｍに突出する部位近傍には幾つかの粉塵室Ｓが設けられ、これによって使用環境下で発生する可能性のある粉塵が継手嵌合部内の両継手要素６ａ、７ａ及び鎖錠要素８の機能を損なわない領域に閉じこめられるようになっている。これらの粉塵室Ｓは図３及び図４のいずれの実施形態においても設けておくことができる。
【００４４】
図３及び図４において、それぞれの（ｂ）図に示す下側継手要素６ａの接合端面ｂは係合ロック位置において上側継手要素７ａの対応する接合端面ｃと好ましくは面接触する。これにより、相互に当接した接合端面ｂ、ｃによって床張構造の仕上面に隙間が生じなくなる。即ち、各パネル材のパネル面Ｎが隣接パネルＮと隙間の無い目地で連続し、この場合、接合端面ｂ又はｃとパネルＮとの間の稜縁に面取り又は丸み付け加工を施しておいても良い。
【００４５】
図３に示す実施形態においては、下側継手要素６ａの自由端と、この自由端に係合ロック位置で対面する上側継手要素７ａの下部端面との間に、係合ロック位置において空隙Ｌが形成されるようになっている。両継手要素６ａ、７ａを組み付ける際の鎖錠要素８のバネ弾性による自動係止動作は、上側継手要素７ａが接合境界面Ｍ上を下降する際に生じる唯一の抵抗要因であるので、カッター鋏運動の操作力を与える施工作業者に充分に知覚され得るものである。図４に示す実施形態では、後述するように係合ロック位置において上記空隙Ｌは形成されないようになっている。
【００４６】
カッター鋏運動によるフック突き相欠き継手の嵌合操作中に破線で示した上側継手要素７ａの接合端面ｃの下部との機械的干渉によるカム動作によって自動的に接合境界面Ｍから凹部６ｃ内へ退避した鎖錠要素８の係止板８ａが、嵌合の完了と共に継手要素間の板厚方向の係止を果たすことができるように、上側継手要素７ａの接合端面ｃの中程に係止凹部７ｃが設けられている。継手の嵌合が係止ロック位置に達すると、係止板８ａは自身のバネ弾性復帰力によって自動的に接合境界面Ｍを越えて係止凹部７ｃ内に突出することによりこれと係合する。係止ロック位置においては、係止板８ａが係止凹部７ｃの傾斜係止面ｄに対して弾発力を作用させている。
【００４７】
両継手要素６ａ、７ａのアンダカット面６ｂ、７ｂ、或いは６ｅ、７ｅは、分離曲面Ｖ１或いはＶ２上に沿うように形成されている。図示の実施形態において、各継手要素のいずれのアンダカット面も理想的な円弧凹面形状を有する。但し、平面的なアンダカット面又は逆向きの円弧凸面形状のアンダカット面を採用しても良い。その場合、アンダカット面は状況によってはパネル材を継手嵌合状態から図３及び図４の各（ｂ）図に示す解放位置に起こす際に弾性変形を受けることになる場合があるが、この弾性変形は、各継手要素の本来の機能を妨げない程度であれば甘受できるものである。
【００４８】
パネル材６のパネル面Ｎとパネル材７のパネル面Ｎは適正な継手嵌合状態においては同一高さで面一に揃っている。カッター鋏運動により上側継手要素７ａの領域でパネル面Ｎに下向きの荷重を印加する操作を行うことによって、上側継手要素７ａの当接下面７ｗが下側継手要素６ａの担持面６ｗに押し付けられる。両継手要素６ａ、７ａが係合ロック位置に達した状態では当接下面７ｗと担持面６ｗが接触しており、当接下面７ｗと担持面６ｗとの間に隙間がないのでパネル面の高低差は生じ得ない。尚、図３及び図４の各（ａ）図に破線で示したように上側継手要素の当接下面に粉塵室Ｓを設けてもよく、これは図３及び図４のいずれの実施形態についても言えることである。
【００４９】
図３の（ｃ）図は、継手接合端面と直交する方向でパネル面と平行な方向へのパネル材同士の離反を阻止するために有効なアンダカット面の変形実施形態を示すＩＩＩｃ部分拡大断面図であり、この付加的な実施形態では、フック付き相欠き継手の解放に意図的な操作力が必要となるようにしてある。このように変更された両継手要素６ａ、７ａを有するパネル材は、フック付き相欠き継手で連結された状態のパネル材同士を継手接合端面と直交する方向でパネル面と平行な方向へ離反させようとする力に対して特に優れた強度を発揮する。パネル材６、７間のこのような水平離反運動を阻止するアンダカット面６ｂと７ｂは決して分離曲面に沿って形成されているものではないが、これらアンダカット面６ｂ及び７ｂの面形状に応じてパネル材の分離解放操作は依然として可能である。同様の措置は、分離操作時の回動軸心を中心にして分離曲面に沿ったアンダカット面同士の解放が特に簡単で操作し易いという点にあまり重きを置かない限り、図３及び図４に示したいずれの継手要素を採用した実施形態においても採用可能である。
【００５０】
図４に示す実施形態では、図３に示す実施形態との相違点として、下側継手要素６ａの自由端とこの自由端に係合ロック位置で対面する上側継手要素７ａの下部端面との間に係合ロック位置において空隙Ｌが形成されす、相互の端面間の接触が成立している。即ち、図４の（ａ）図に示すように、下形継手要素６と上側継手要素７には、カッター鋏運動による継手嵌合操作に際して最終的に弾性変形によって互いに固定接触状態となるアンダカット接触面６ｄ、７ｄが設けられている。これらの接触面６ｄ、７ｄは、適正な継手嵌合状態においては、その弾性変形によりパネル分離方向へのパネル材同士の相対的離反運動に対する固定作用をもたらしている。
【００５１】
更に図４に示す実施形態では、板厚方向鎖錠要素８を備えたパネル材６の下側継手要素６ａがその自由端側に複数のアンダカット面６ｂ、６ｅを有し、これに対応して隣接パネル材７の上側継手要素７ａにも相補形状の複数のアンダカット面７ｂ、７ｅが設けられている点でも図３に示す実施形態と相違している。図４に示すように、各継手要素６ａと７ａには２つずつのアンダカット面６ｂと６ｅ、７ｂと７ｅがそれぞれ別々の分離曲面Ｖ１、Ｖ２上に沿って形成されている。各継手要素６ａと７ａに２つずつの前後並列配置のアンダカット面を備えることによって、継手接合端面と直交する方向でパネル面と平行な方向へのパネル材同士の離反運動に対してそれを阻止する強度が倍加する。
【００５２】
図４の（ｂ）図に明らかなように、両継手要素のそれぞれ複数のアンダカット接触面同士は、パネル間の連結を解放する際にも、またカッター鋏運動を与える操作によって両継手要素６ａ、７ａを係合ロック位置へ嵌合させる際にも相対的な摺動で脇をすり抜けて分離され、或いは係合される。
【図面の簡単な説明】
【００５３】
【図１】本考案の一実施形態によるパネル材で形成される床張構造の２列のパネル列について新たなパネル材が連結される様子を示す部分的な斜視図である。
【図２】ａ〜ｅの５種類について本考案の一実施形態によるパネル材の第１の対の端面における差し込み継手を構成する嵌合継手の継手形状を示す要部断面図である。
【図３】本考案の一実施形態によるパネル材の第２の対の端面における嵌合継手としてのフック付き相欠き継手について一方のパネル材のカッター鋏運動による結合操作の様子を示す要部断面図（ａ）と、このフック付き相欠き継手の連結をパネル分解時に一方のパネル材の傾動により解除する様子を示す同様の要部断面図（ｂ）と、継手接合端面と直交する方向でパネル面と平行な方向へのパネル材同士の離反を阻止するために有効なアンダカット面の変形実施形態を示すＩＩＩｃ部分拡大断面図（ｃ）である。
【図４】本考案の別の実施形態におけるフック付き相欠き継手について図３（ａ）と同様に結合操作の様子を示す要部断面図（ａ）と、図３（ｂ）と同様にこのフック付き相欠き継手の連結を解除する様子を示す要部断面図（ｂ）である。
【符号の説明】
【００５４】
１：パネル材
２：パネル材
２ａ：そば側端面
２ｂ：そば側端面
２ｃ：小口側端面
２ｄ：個靴側端面
３：パネル材
４：パネル材
５：パネル材
６：パネル材
６ａ：フック付き相欠き継手の継手要素（下側継手要素）
６ｂ：アンダカット面
６ｃ：凹部
６ｄ：アンダカット接触面
６ｅ：アンダカット面
７：パネル材
７ａ：フック付き相欠き継手の継手要素（上側継手要素）
７ｂ：アンダカット面
７ｃ：係止凹部
７ｄ：アンダカット接触面
７ｅ：アンダカット面
８：板厚方向鎖錠要素
８ａ：係止板
８ｂ：嵌合部
ｂ：接合端面
ｃ：接合端面
ｄ：傾斜係止面
Ｌ：空隙
Ａ：アンダカット凹形継手要素
Ａ１：アンダカット面
Ｂ：さね形継手要素
Ｂ１：アンダカット面
Ｎ：パネル面
Ｒ１：パネル列
Ｒ２：パネル列
Ｖ：分離曲面
Ｖ１：分離曲面
Ｖ２：分離曲面
【図１】
0003136542.tif 000003
【図２】
0003136542.tif 000004
【図３】
0003136542.tif 000005
【図４】
0003136542.tif 000006